(57)【要約】【課題】平行に配された複数の垂木の間に架け渡されたパネルと、垂木の一端側が固定される枠部材と、枠部材に取り付けられてパネルを固定するパネル押さえとを備え、さらに、パネル押さえとパネルとの隙間に配置されるシール部材を備え、シール部材はパネル押さえに抜け止めされて取り付けられていることを特徴とする簡易屋根を提供する。【解決手段】抜け止め可能に形成された、パネル押えと後付けビードとを設ける。【選択図】      図３
2004278105.tif 000002
【特許請求の範囲】
【請求項１】
平行に配された複数の垂木の間に架け渡されたパネルと、前記垂木の一端側が固定される枠部材と、前記枠部材に取り付けられて前記パネルを固定するパネル押さえとを備え、
さらに、前記パネル押さえとパネルとの隙間に配置されるシール部材を備え、
前記シール部材は前記パネル押さえに抜け止めされて取り付けられていることを特徴とする簡易屋根。
【発明の詳細な説明】
【０００１】
【発明の属する技術分野】
本発明は、例えばテラス、バルコニー、カーポート、サンルーム、玄関、通路等に好適に用いられる簡易屋根に関する。
【０００２】
【従来の技術】
この種の簡易屋根は、例えば建物のテラスに設置される場合、図５ａに示されるように、建物１００に取り付けられる垂木掛け１０１と、この垂木掛け１０１に平行に配置されるとともに２本の柱１０４ａ、１０４ｂに支えられる枠部材１０２、これら垂木掛け１０１と枠部材１０２との間に所定の間隔にて掛け渡される複数の垂木１０３とから組み立てられる屋根骨組み１１０を備えている。隣り合う垂木１０３間と枠部材１０２には、例えばアクリル樹脂や、ポリカーボネート樹脂等の透明材料からなる長方形板状の屋根パネル１０５が掛け渡されることによって、日当たりや上方への視界を確保するとともに、デッキへの降雨を妨げている。また、この屋根パネル１０５を、枠部材１０２に固定する場合、屋根パネル１０５を枠部材１０２に挿入する。
【０００３】
図５ｂは、図５ａのＶＢ−ＶＢ線に沿った断面図で、屋根パネル１０５が枠部材１０２に後付けビード１３３で固定される様子が示されている。枠部材１０２の本体部１２０は、ねじ孔１３４が設けられた底部１３５と、底部１３５の屋外、屋内両方向の端部から上方向に伸張した屋外側端部１３６および屋内側端部１３７と、屋外側端部１３６と屋内側端部１３７とが結合されて設けられた上端部１３８との四辺で囲まれて形成され、上端部１３８のさらに上方向にはパネル押え部１３０が設けられている。パネル押え部１３０は、上端部１３８の屋外側端部から上方向に伸張し、さらに屋内方向に折り曲げられた第一係止部１３１と、上端部１３８の屋内側端部から上方向に伸張し、さらに屋外方向に折り返された第二係止部１３２の２つの係止部で構成されている。第二係止部１３２は、屋根パネル１０５装着時における屋根パネル１０５より低位置に設けられている。この屋根パネル１０５と第二係止部１３２の隙間には、例えばゴム等の材料からなる後付けビード１３３が差込まれる。後付けビード１３３が差込まれると、屋根パネル１０５は第一係止部１３１と第二係止部１３２とに固定され、風圧等でのパネルの剥がれ落ちが防止される。
【０００４】
また、特許文献１には、屋根パネルを垂木に固定する場合、屋根パネルを固定するために設けられた呑込み溝で屋根パネルを挟んで、上側、下側にシール部材を配設する方法が開示されている。
【特許文献１】
特開平９−１７７２５２号公報
【０００５】
【発明が解決しようとする課題】
しかし、図５に示される従来の方法では、後付けビード１３３はパネル押え部１３０と屋根パネル１０５とに挟まれて固定されているだけなので、例えば風が下から吹き上げて屋根パネルが浮き上がるなどした場合、屋根パネルが曲がったときに生じる隙間から後付けビードが外れてしまうおそれがあった。
【０００６】
また特許文献１で開示された方法はパネルを垂木に固定する方法であり、枠部材に固定する方法については示されていない。
【０００７】
そこで本発明は、施工が容易でパネルが風にあおられることがあっても後付けビードが外れない簡易屋根を提供することを課題とする。
【０００８】
【課題を解決するための手段】
以下、本発明について説明する。なお、本発明の理解を容易にするために添付図面の参照符号を括弧書きにて付記するが、それにより本発明が図示の形態に限定されるものではない。
【０００９】
本発明は、平行に配された複数の垂木（１３〜１６）の間に架け渡されたパネル（１８）と、垂木の一端側が固定される枠部材（１２）と、枠部材に取り付けられてパネルを固定するパネル押さえ（８０）とを備え、さらに、パネル押さえとパネルとの隙間に配置されるシール部材（９０）を備え、シール部材はパネル押さえに抜け止めされて取り付けられていることを特徴とする。
【００１０】
本発明によれば、シール部材が、パネル押えによって抜け止めされているため、パネルが曲がってもシール部材が外れるのを防止することができ、パネルを枠部材に確実に固定しておくことができる。
【００１１】
本発明のこのような作用及び利得は、次に説明する実施の形態から明らかにされる。
【００１２】
【発明の実施の形態】
以下本発明にかかる簡易屋根をテラスに適用した場合について、図面に示す実施形態に基づき説明する。
【００１３】
図１はテラスに適用した本実施形態にかかる簡易屋根１０の外観の一例を示す斜視図である。なお、以降の説明においては、建物１の外壁面と同一方向を「正面」といい、正面に向かって見た場合の左右により「右」及び「左」を定義する。また、建物正面に向かって見た場合の手前側を「前側」、「前方」又は「手前側」と、奥側を「後方」又は「奥側」と呼ぶものとする。
【００１４】
簡易屋根１０は、建物１の外壁にそって取り付けられている垂木掛け１１と、この垂木掛け１１から手前側に所定の距離をおいて略平行に設けられた枠部材１２とを備えている。枠部材１２と垂木掛け１１の間には、垂木１３〜１６が架け渡されている。また、枠部材１２はデッキに立設された二本の柱１９および２０によって支えられている。枠部材１２の左端部１２ａは垂木１３〜１６のうち、垂木１３の前側端部１３ｂに接合されている。垂木１３の奥側の端部１３ａは、垂木掛け１１に取付けられている。また、枠部材１２の右端部１２ｄは垂木１６の前側端部１６ｂに接合され、垂木１６の奥側の端部１６ａは垂木掛け１１に取付けられている。これらの垂木掛け１１、枠部材１２、垂木１３および垂木１６で枠体１７を形成している。この枠体１７には、等間隔で垂木１４および１５が取付けられている。枠部材１２の奥側面の一点１２ｂは垂木１４の前側端部１４ｂに接合されている。垂木１４の奥側の端部１４ａは、垂木掛け１１に取付けられている。枠部材１２の奥側面の他の一点１２ｃは垂木１５の前側端部１５ｂに接合されている。垂木１５の奥側の端部１５ａは、垂木掛け１１に取付けられている。
【００１５】
図示されていないが、隣り合う垂木１３〜１６の各間の向かい合った面には、それぞれパネル１８の長手方向の長さとほぼ同一の長さのパネル設置孔が設けられている。また、枠部材１２の前側の面には、パネル１８を枠部材１２に係止するためのパネル押え８０（図２参照）が取付けられている。これらパネル設置孔とパネル押え８０によって、パネル１８が枠体１７に装着されている。前記した様に簡易屋根１０は、２本の柱１９、２０により支えられている。正面から見て左側の第一の柱１９の上端部１９ａは、枠部材１２の左下端部１２ｅに接合されている。また、右側の第二の柱２０の上端部２０ａは、枠部材１２の右下端部１２ｆに接合されている。
【００１６】
図２は、図１のＩＩ−ＩＩ線に沿った垂直断面図が示されている。以下においては説明の簡略化のため、パネル１８および垂木１３〜１６を直線形状にて図示するが、本発明はいずれの形状をも含むものである。図２には柱２０で支えられた枠部材１２と、枠部材１２に一端側が掛け渡されている垂木１６と、柱２０と枠部材１２、枠部材１２と垂木１６とをそれぞれねじ止めする、ボルト３０とビス３１とが示されている。
【００１７】
枠部材１２は、本断面図において、底部１２ｆと、底部１２ｆの前側から上方向に伸張された前側端部５１と、奥側から上方へ延設された奥側端部５２と、前側端部５１と奥側端部５２とを結ぶ上面部５３によって形成されている。奥側端部５２には、垂木１６の前側端部１６ｂとの接合面１２ｄが設けられている。
【００１８】
柱２０の上面２０ａの下方から差し入れられたボルト３０が、枠部材１２の底部１２ｆを貫通しナットでねじ止めされることにより、柱２０と枠部材１２とが接合されている。さらに奥側端部５２の上方には、奥側方向に垂木受け面２３が延設されている。
【００１９】
垂木接合面１２ｄと垂木受け面２３とは、垂木１６の前側端部１６ｂと下側面１６ｃとを支えるように、垂木１６の装着時の傾斜に沿って設けられており、垂木受け面２３と垂木下側面１６ｃとがビス３１でねじ止めされることにより垂木１６と枠部材１２とが接合される。
【００２０】
枠部材１２と柱１９との接合は、上記の枠部材１２と柱２０との接合と同様に行われる。また、枠部材１２と垂木１３、１４および１５との接合は、枠部材１２と垂木１６の接合と同様に行われる。
【００２１】
上面部５３の前側端部は、後述するパネル押え８０が係合可能なように前側に突出する、第一係合部５４を有している。
【００２２】
また、上面部５３の奥側端部は、パネル押え８０が係合可能なように、上方に延設され所定長の長さで下側へ折り返された第二係合部５５を備え、さらに、第二係合部５５の奥側へ延設された第一当接部５６と、所定長のところで下方に略９０度折り返して形成された第二当接部５７とが設けられている。
【００２３】
図３はパネル押え８０とその周辺を拡大した概略図が示されている。パネル押え８０は、パネル１８が取付けられた状態においてパネルの上面１８ａに当接されるように形成されたパネル当接部８１と、パネル当接部８１の前側端部から下方に所定長延設されている基部８２と、基部８２から前側へ突出し、下方に折り曲げられ、さらに奥側に折り返された第一固定部８３とを備えている。
【００２４】
枠部材１２とパネル１８との位置関係は、基部８２の長さによって決定されている。パネル当接部８１の奥側先端８１ａはパネル１８を挿入しやすいように上面に反り返されて形成されている。また、第一固定部８３は第一係合部５４に係合可能なように、かえし形状となるよう設けられ、パネル押え８０の上下動を抑制している。
【００２５】
さらに、基部８２から奥側へ傾斜しつつ伸張されたアーム８４が形成されている。アーム８４の奥側先端は、上下方向に枝分かれしており、それぞれ、第二固定部８５と嵌合突起部８６として形成されている。上方向に枝分かれした嵌合突起部８６は、後述する後付けビード９０を固定するために設けられている。また、下方に枝分かれした第二固定部８５は前述した枠部材１２の第二係合部５５と係合する。第二固定部８５は、下方向に分かれて奥側に伸張され、所定の長さで上方向に折り曲げられて形成されている。また、嵌合突起部８６は、上方向に分かれて奥側へ伸張され、その先端は鉤状に形成された鉤部８６ｂとされている。
【００２６】
アーム８４の長さは、第二固定部８５および嵌合突起部８６の前後方向の位置を決定している。第二固定部８５には、枠部材１２の第二係合部５５と係合する係合部８５ａが設けられており、第二固定部８５および嵌合突起部８６の上下方向の位置を決定している。また嵌合突起部８６には、後述の後付けビード９０でパネル１８が安定して固定されるように保持部８６ａが設けられている。保持部８６ａの上面は、本実施形態においては略平坦に図示されているが、本発明はこれに限定されるものではなく、後付けビード９０と面接触が可能な形状でありさえすればよい。
【００２７】
かくして、パネル押え８０は、第一固定部８３を第一係合部５４に係合させつつ、第二固定部８５も第二係合部５５に係合されて枠部材１２へ固定される。
【００２８】
パネル１８は、枠部材１２に固定されたパネル押え８０へと仮固定される。パネル当接部８１の下面８１ｂにパネル１８の上面１８ａが当接するように差込まれて設置される。さらに後付けビード９０が所定位置に配置されることにより、パネル１８が枠部材１２に堅固に固定される。
【００２９】
なお、パネル押え８０を形成する材料としてＰＶＣ等が好ましく用いられるが、本発明はこれに限定されるものではない。
【００３０】
図４は後付けビード９０とその周辺を拡大した概略図が示されている。後付けビード９０はパネル１８の下面１８ａと当接し、さらに嵌合突起部８６の保持部８６ａと面接触するリード部９１と、リード部９１の奥側端部から下方に伸張された枠当接部９２と、枠当接部９２の途中から前側に向かって伸張された嵌合突起部９３とを備えている。また、リード部９１と嵌合突起部９３の間には所定の位置に設けられたスペーサー９４が形成されている。なお、通常後付けビード９０は、ゴム等の弾性体により形成する。
【００３１】
リード部９１は、パネル１８の下面１８ａと嵌合突起部８６の保持部８６ａとの隙間に挿入されやすいように嵌合突起部９３よりも長く設けられている。嵌合突起部９３には、前側先端が斜め上方に鉤状に折り曲げられた鉤部９３ａが形成されている。また後付けビード９０の装着時において、枠当接部９２および嵌合突起部９３が、それぞれ枠部材１２の第二当接部５７および第一当接部５６に当接され、後付けビード９０の位置が一意に決定される。本実施形態においては保持部９２および嵌合突起部９３は連続する形状として図示されているが、これらは第二当接部５７および第一当接部５６と面接触が可能な形状であれば他の形態であってもよい。スペーサー９４は、リード部９１と嵌合突起部９３との所定の距離を保つ役割を持つとともに、装着時には前面９４ａに嵌合突起部８６の突起部８６ｃの先端が当接して、後付けビード９０の前後方向の位置決定にも寄与している。
【００３２】
後付けビード９０の装着は、パネル１８がパネル押え８０に仮止めされた状態で行われる。リード部９１がパネル下面１８ａと保持部８６ａとの間に差し入れられるとともに、嵌合突起部９３の先端が嵌合突起部８６の鉤部８６ｂを押し上げつつ嵌合突起部８６の突起部８６ｃがスペーサー前面９４ａに突き当たるまで挿入される。この状態で、後付けビード９０は、リード部９１の上面９１ａの一部がパネル１８の下面１８ａと当接されており、下面９１ｂは嵌合突起部８６の保持部８６ａに支えられている。また、保持部９２が第二当接部５７によって支えられ、嵌合突起部９３が第一当接部５６に支えられている。
【００３３】
嵌合突起部９３の鉤部９３ａは鉤部８６ｂと係合されることにより抜け止めされている。このように抜け止めされていれば、パネル１８がたわんで隙間が生じても、後付けビード９０はパネル押さえ８０から抜け落ちることはない。また、スペーサー９４の前面９４ａと鉤部９３ａとの間に、ほぼ幅いっぱいに鉤部８６ｂと突起部８６ｃが嵌め込まれている。よって、後付けビード９０がパネル押え８０と枠部材１２との間に堅固に固定され、これによってパネル１８も枠部材１２に堅固に固定される。
【００３４】
鉤部８６ｂおよび鉤部９３ａは、本実施形態においては鉤形状で示されている。しかし、本発明の効果を得るためには上記鉤部２つのうちどちらか一方が鉤状形状であって、残りの一方は垂直断面等であってもよい。
【００３５】
さらに、上記の後付けビード９０によれば、通常頭上において行われる施工において後付けビード９０を鉤部８６に差し入れる際にパネル押え８０の鉤部８６ｂが後付けビード９０の嵌合突起部９３の鉤部９３ａを乗り越える際に手ごたえを感じることができ、これによって後付けビード９０が所定の位置に配置されたことを確認することができる。
【００３６】
以上、現時点において、もっとも、実践的であり、かつ、好ましいと思われる実施形態に関連して本発明を説明したが、本発明は、本願明細書中に開示された実施形態に限定されるものではなく、請求の範囲および明細書全体から読み取れる発明の要旨或いは思想に反しない範囲で適宜変更可能であり、そのような変更を伴う簡易屋根もまた本発明の技術的範囲に包含されるものとして理解されなければならない。
【００３７】
［変形例］
上述の実施形態では、テラス等に取付けられる簡易屋根について説明したが、以下の形態においても本発明の簡易屋根が用いられる。
【００３８】
（変形例１）
デッキ等に立設した２本の柱を支柱とし、柱の上端同士に横部材を渡す。横部材の両端部から前方、もしくは前後方の両方向に所定長で縦部材を延設し、横部材に対して平行となるよう縦部材の先端を結んで枠部材を設ける。また、枠部材と横部材との間に所定の間隔で垂木を架け渡す。この縦部材、枠部材および垂木には、枠部材とパネルの接合箇所にパネル押えと後付けビードが設けられているため、上記と同様の方法でパネルを装着することができる。この形態は、カーポート、通路等に用いることが可能である。
【００３９】
（変形例２）
デッキ等に立設した２本の柱を一組とし、これを平行に配置した二組の４本の柱を支柱とする。それぞれの組の柱の上端同士に枠部材を渡し、かつ向かい合う枠部材の端部同士を結ぶ二組を連結した縦部材を設ける。また、二組の枠部材の間に所定の間隔で垂木を架け渡す。この縦部材、枠部材および垂木には、枠部材とパネルの接合箇所にパネル押えと後付けビードが設けられているため上記と同様の方法でパネルを装着することができる。この形態は、カーポート、通路等に用いることが可能である。
【００４０】
【発明の効果】
以上に説明したように、本発明によれば、シール部材がパネル押えによって抜け止めされているため、パネルが曲がってもシール部材が外れるのを防止することができ、パネルを枠部材に確実に固定しておくことができる。
【図面の簡単な説明】
【図１】テラスに設けられた簡易屋根の外観を示す斜視図である。
【図２】図１におけるＩＩ−ＩＩ線に沿った断面図で、枠部材と柱および枠部材と垂木との接合部を示している。
【図３】図２の拡大図で、パネル押さえとその周辺を示している。
【図４】図３の拡大図で、後付けビードとその周辺を示している。
【図５】（ａ）は、テラスに設けられた従来の簡易屋根の外観を示す斜視図である。（ｂ）は、図５ａにおけるＶＢ−ＶＢ線に沿った断面図で、パネルの接合部を示している。
【符号の説明】
１２  枠部材
１３〜１６  垂木
１８  パネル
８０  パネル押さえ
９０  後付けビード（シール部材）
【図１】
2004278105.tif 000003
【図２】
2004278105.tif 000004
【図３】
2004278105.tif 000005
【図４】
2004278105.tif 000006
【図５】
2004278105.tif 000007